(57)【要約】【課題】従来のモニタを使用しても黒色部分を浮かせることなく，かつ１００％を越える領域の情報を含ませてフィルム画像と同様な画像を得ることが可能な撮像装置におけるガンマ補正装置を提供する。【解決手段】撮像素子１００からの入力信号を，所定の入出力特性を表す補正曲線に基づいてガンマ補正処理をおこなう撮像装置１０におけるガンマ補正装置において，前記補正曲線は，原点からの立ち上がりの傾きが５．０以下である対数曲線，又は原点から所定の入力信号レベルまでの間で形成されるＩＴＵ−７０９基準に基づく曲線と，前記所定の入力信号レベルで前記ＩＴＵ−７０９基準に基づく曲線と同一の傾きで連続的に合成されて前記所定の入力信号レベル以降に形成される対数曲線とからなる曲線，により形成されている。【選択図】  図１
2004312269.tif 000002
【特許請求の範囲】
【請求項１】
撮像素子からの映像信号を，所定の入出力特性を表す補正曲線に基づいてガンマ補正処理をおこなう撮像装置におけるガンマ補正装置において，
前記補正曲線は，原点からの立ち上がりの傾きが５．０以下であるフィルム特性に対応した補正曲線により形成されている，ことを特徴とする撮像装置におけるガンマ補正装置。
【請求項２】
前記補正曲線の原点からの立ち上がりの傾きは，各種条件に応じて設定可能である，
ことを特徴とする請求項１に記載の撮像装置におけるガンマ補正装置。
【請求項３】
前記撮像装置におけるガンマ補正装置は，原点からの立ち上がりの傾きが異なる複数の補正曲線を有しており，
前記補正曲線は，各種条件に応じて選択可能である，
ことを特徴とする請求項１に記載の撮像装置におけるガンマ補正装置。
【請求項４】
撮像素子からの映像信号を，所定の入出力特性を表す補正曲線に基づいてガンマ補正処理をおこなう撮像装置におけるガンマ補正装置において，
前記補正曲線は，原点から所定の入力信号レベルまでの間で形成される陰極線管モニタに対応した補正曲線と，前記所定の入力信号レベルで前記陰極線管モニタに対応した補正曲線と同一の傾きで連続的に合成されて前記所定の入力信号レベル以降に形成されるフィルム特性に対応した補正曲線と，からなる，
ことを特徴とする撮像装置におけるガンマ補正装置。
【請求項５】
前記所定の入力信号レベルは，各種条件に応じて設定可能である，ことを特徴とする請求項４に記載の撮像装置におけるガンマ補正装置。
【請求項６】
前記撮像装置におけるガンマ補正装置は，前記所定の入力信号レベルが異なる複数の補正曲線を有しており，
前記補正曲線は，各種条件に応じて選択可能である，
ことを特徴とする請求項４に記載の撮像装置におけるガンマ補正装置。
【発明の詳細な説明】
【０００１】
【発明の属する技術分野】
本発明は，撮像装置におけるガンマ補正装置に関し，さらに詳細には，撮像素子からの映像信号を，所定の入出力特性を表す補正曲線に基づいてガンマ補正処理をおこなう撮像装置におけるガンマ補正装置に関する。
【０００２】
【従来の技術】
従来における映画業界では，フィルム式カメラを用いて映画を撮影することが主流となっているが，フィルム式カメラで撮影した実際の画像を確認するためには，撮影したフィルムを現像した後，現像したフィルムに光を投影して確認していた。
【０００３】
一方，近年においては，フィルム映画に代わって，ディジタルビデオカメラを使用したディジタル映画が制作されるようになってきている。かかるディジタルビデオカメラを使用することにより，実際の映画撮影現場では，録画した画像を即座にモニタで再生して確認することができるようになった。なお，かかるモニタは，一般に，ＩＴＵ−７０９基準に基づく曲線（以下，ＩＴＵ−７０９特性曲線という）により最適化されている。
【０００４】
かかるディジタルビデオカメラは，一般に，ＣＣＤ（ｃｈａｒｇｅ  ｃｏｕｐｌｅｄ  ｄｅｖｉｃｅ：電荷結合デバイス）撮像素子から出力された６００％以上というダイナミックレンジの信号を，プリニー処理により２００〜２５０％まで圧縮した後，Ａ／Ｄ変換されて，１０ビットの割り当てが実行される。また，実際の映像信号は，１Ｖｐ−ｐという規制があるので，上記ＣＣＤを用いたディジタルビデオカメラは，６００％以上のダイナミックレンジを最終的に１００〜１２０％程度に圧縮されて，ガンマ補正処理が行われる（例えば特許文献１参照）。
【０００５】
【特許文献１】
特開平５−３３６４０６号公報
【０００６】
【発明が解決しようとする課題】
しかしながら，ディジタルビデオカメラの撮像素子からの映像信号は，１００％以上の信号はプリニー処理が施されて極端に圧縮されるため，従来のＩＴＵ−７０９特性曲線によりガンマ補正すると，１００％以上の情報量が殆ど含まれなくなってしまう。このため，ディジタルビデオカメラで撮像した画像は，フィルム式カメラで撮影したダイナミックレンジが高いフィルム画像とは異なる画像となってしまう，という課題がある。このため，映画制作者にとってフィルムで撮影した場合とビデオカメラで撮像した場合とでの階調感や色調感が異なり，フィルム独特の階調感や色調感をビデオカメラでは得られなかったため，映画製作をビデオカメラを使用することは余り行われていなかった。
【０００７】
一方，補正曲線として，フィルム特性として示される対数曲線を補正曲線として使用することにより，１００％を越える領域での情報量を有することも可能となるが，この場合には，ＩＴＵ−７０９特性曲線（原点の傾きが約４．５）を補正曲線とした場合と比較して，原点（入力信号レベル０）からの立ち上がりの傾きが過度に急峻となってしまう。このため，ＩＴＵ−７０９特性曲線で最適化される従来のモニタを使用すると，対数曲線で補正された画像は極端に黒色が浮いた画像となり，実際の画像イメージとは異なってしまう，という課題がある。また，対数曲線により最適化するような新たなモニタを開発すると高コストになることから，従来のモニタを使用してフィルム画像と同様な画像を得ることが望まれている。
【０００８】
したがって，本発明の目的は，従来のモニタを使用しても黒色部分を浮かせることなく，かつ１００％を越える領域の情報を含ませてフィルム画像と同様な画像を得ることが可能な新規かつ改良された撮像装置におけるガンマ補正装置を提供することにある。
【０００９】
【課題を解決するための手段】
上記課題を解決するため，本発明の第１の観点においては，撮像素子からの映像信号を，所定の入出力特性を表す補正曲線に基づいてガンマ補正処理をおこなう撮像装置におけるガンマ補正装置において，前記補正曲線は，原点からの立ち上がりの傾きが５．０以下であるフィルム特性に対応した補正曲線により形成されている，ことを特徴とする撮像装置におけるガンマ補正装置が提供される。
【００１０】
上記記載の発明では，低信号レベル領域（原点からの立ち上がり領域）には，傾きの緩やかな曲線が割り当てられたフィルム特性に対応した補正曲線（例えば対数曲線）として形成されているので，従来のモニタを使用しても黒色部分を浮かせることなく違和感のない画像を確認できる。さらに，対数曲線は，１００％を超える領域で著しく緩やかに上昇していく特性を有するので，１００％を越える領域の高域情報を含ませたフィルム画像と同様な画像を得ることができる。また，ガンマ補正後の後処理においても，既存のフィルム領域における機器との親和性も期待することができる。なお，１００％を超える領域において，どの程度まで（例えば１０８％）の情報を含ませるかを条件として対数曲線を設計することができる。また，１００％の感度設定は，マスターとなるグレースケールの白色領域に規定の照明（例えば２０００ルクス）をあてて，反射光の反射率が８９．９％となる白色レベルを１００％としている。
【００１１】
また，前記補正曲線の原点からの立ち上がりの傾きは，各種条件に応じて設定可能である，如く構成すれば，低信号レベル領域において，例えば黒色の浮き具合に応じて好適な補正曲線を使用することができる。
【００１２】
また，前記撮像装置におけるガンマ補正装置は，原点からの立ち上がりの傾きが異なる複数の補正曲線を有しており，前記補正曲線は，各種条件に応じて選択可能である，如く構成すれば，予め所定の記憶領域に格納された複数の補正曲線から好適な補正曲線を選択することができる。この結果，ユーザの趣向に応じて，低信号レベル領域における例えば黒色の浮き具合を簡易かつ好適に調整することができる。
【００１３】
上記課題を解決するため，本発明の第２の観点においては，撮像素子からの映像信号を，所定の入出力特性を表す補正曲線に基づいてガンマ補正処理をおこなう撮像装置におけるガンマ補正装置において，前記補正曲線は，原点から所定の入力信号レベルまでの間で形成される陰極線管モニタに対応した補正曲線と，前記所定の入力信号レベルで前記陰極線管モニタに対応した補正曲線と同一の傾きで連続的に合成されて前記所定の入力信号レベル以降に形成されるフィルム特性に対応した補正曲線と，からなる，ことを特徴とする撮像装置におけるガンマ補正装置が提供される。
【００１４】
上記記載の発明では，少なくとも低信号レベル領域（原点からの立ち上がり領域）には，陰極線管モニタに対応した補正曲線（例えば，ＩＴＵ−７０９特性曲線）が割り当てられているので従来のモニタを使用しても黒色部分を浮かせることなく違和感のない好適な黒色画像を得ることができる。また，高信号レベル領域には，１００％を超える領域で著しく緩やかに上昇していく特性を有するフィルム特性に対応した補正曲線（例えば対数曲線）が割り当てられているので，１００％を越える領域の高域情報を含ませたフィルム画像と同様な画像を得ることができる。また，１００％を超える領域において，どの程度まで（例えば１０８％）の情報を含ませるかを条件として例えば対数曲線を設計することができる。また，ガンマ補正後の後処理工程においても，既存のフィルム領域における機器との親和性も期待することができる。
【００１５】
また，前記所定の入力信号レベルは，各種条件に応じて設定可能である，如く構成すれば，ユーザの趣向に応じて，低信号レベル領域に重点を置くか，あるいは高信号レベル領域に重点を置くかを好適に設定することができる。即ち，陰極線管モニタに対応した補正曲線（例えば，ＩＴＵ−７０９特性曲線）からフィルム特性に対応した補正曲線（例えば，対数曲線）に移行する入力信号レベルが低信号領域にあるほどフィルム特性に対応した補正曲線部分（例えば，対数曲線部分）が長くなるので情報量が多く含まれることになり，高信号レベル領域に重点が置かれることになる。反対に，陰極線管モニタに対応した補正曲線（例えば，ＩＴＵ−７０９特性曲線）からフィルム特性に対応した補正曲線（例えば，対数曲線）に移行する入力信号レベルが高信号領域にあるほど陰極線管モニタに対応した補正曲線部分（例えば，ＩＴＵ−７０９特性曲線部分）が長くなるので，低信号レベル領域に重点が置かれることになる。
【００１６】
また，前記撮像装置におけるガンマ補正装置は，前記所定の入力信号レベルが異なる複数の補正曲線を有しており，前記補正曲線は，各種条件に応じて選択可能である，如く構成すれば，予め所定の記憶領域に格納された複数の補正曲線から好適な補正曲線を選択することができる。この結果，ユーザの趣向に応じて，低信号レベル領域あるいは高信号レベル領域に重点を置く補正曲線を簡易かつ容易に選択することができる。
【００１７】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
（第１の実施の形態）
まず，図１に基づいて，本実施形態にかかる撮像装置（以下，ディジタルビデオカメラという）１０の回路構成を説明する。なお，図１は，本実施形態にかかるディジタルビデオカメラ１０の回路構成を示すブロック図である。
【００１９】
まず，図１に示すように，本実施形態にかかるディジタルビデオカメラ１０は，被写体からの光を電気信号に変換するＣＣＤ１００と，ＣＣＤ１００からの映像信号に対して所定の前処理を施すプリプロセス回路２００と，プリプロセス回路２００で処理されたアナログ映像信号をディジタル映像信号に変換するＡ／Ｄ変換器３００と，このＡ／Ｄ変換器３００からのディジタル映像信号にガンマ補正，ニー処理及びホワイトクリップなどの信号処理を施すディジタル信号処理（Ｄｉｇｉｔａｌ  Ｓｉｇｎａｌ  Ｐｒｏｃｅｓｓｉｎｇ：ＤＳＰ）回路４００と，
ＤＳＰ回路４００からの低信号レベル信号に対して後処理を施すポストプロセス回路５００と，から構成される。
【００２０】
プリプロセス回路２００は，ＣＣＤ１００からの映像信号をサンプルホールド及び増幅するプリアンプ（図示せず）と，このプリアンプからのアナログ映像信号の白バランスや黒バランス，ゲインアップ，シェーディング補正及びプリニー処理を行う映像増幅回路（図示せず）などから構成される。
【００２１】
Ａ／Ｄ変換器３００は，プリプロセス回路２００で例えば２００〜２５０％に圧縮されたアナログの映像信号をディジタルの映像信号に変換する。このＡ／Ｄ変換器４００では，例えば２００〜２５０％のダイナミックレンジを１２ビットでビット割り当てて，Ａ／Ｄ変換されたディジタル映像信号をＤＳＰ回路５００に供給する。
【００２２】
ＤＳＰ回路４００は，Ａ／Ｄ変換器３００からのディジタル映像信号を，補正曲線データに基づいて補正を行うガンマ補正処理，白を圧縮するニー処理，白をクリップするホワイトクリップなどを実行し，最終的に，ダイナミックレンジを１００〜１２０％に圧縮する。
【００２３】
本実施形態にかかるガンマ補正処理においては，例えば原点からの立ち上がりの傾きが５．０以下の対数曲線として形成されている補正曲線（以下，緩立上り対数曲線という），あるいは，原点から所定の入力信号レベルまでの間で形成されるＩＴＵ−７０９基準に基づく曲線と，所定の入力信号レベルでＩＴＵ−７０９基準に基づく曲線と同一の傾きで連続的に合成されて所定の入力信号レベル以降に形成される対数曲線とからなる補正曲線（以下，ＩＴＵ７０９−対数曲線）により実行される。なお，本実施形態にかかる補正曲線については，後述する。
【００２４】
ポストプロセス回路５００は，例えば供給されたディジタル映像信号をＮＴＳＣ映像信号に調整するエンコーダ（図示せず），エンコーダからのディジタル映像信号をアナログ映像信号に変換するＤ／Ａ変換器（図示せず）などから構成される。
【００２５】
上記構成を有するディジタルビデオカメラ１０においては，ＣＣＤ１００からの映像信号は，プリプロセス回路２００でホワイトバランス処理などの各種アナログ補正が実行された後，Ａ／Ｄ変換器３００でディジタル信号に変換され，ＤＳＰ回路４００に入力される。ＤＳＰ回路では，下記に示す緩立上り対数曲線，又はＩＴＵ７０９−対数曲線からなる補正曲線に基づいてガンマ補正処理が施された後，ポストプロセス回路５００を経て輝度信号及び色信号を含むコンポジットなＮＴＳＣ映像信号として外部に出力される。
【００２６】
本実施形態においては，従来と異なり，ＤＳＰ回路４００では，緩立上り対数曲線，又はＩＴＵ７０９−対数曲線によりガンマ補正処理が実行される。
【００２７】
即ち，ディジタルビデオカメラで撮像した画像を，ＩＴＵ−７０９特性曲線によりガンマ補正すると１００％以上の情報量が殆ど含まれなくなってしまう。このため，高信号レベル領域で著しく緩やかに上昇するという特性を有する対数曲線を使用することで１００％を越える領域での情報量を有することも可能となるが，原点（入力信号レベル０）での立ち上がりが過度に急峻となってしまうため，従来のモニタを使用すると黒色画像が浮いたように見えてしまう，という課題が発生する。なお，１００％の感度設定は，マスターとなるグレースケールの白色領域に規定の照明（例えば２０００ルクス）をあてて，反射光の反射率が８９．９％となる白色レベルを１００％としている。
【００２８】
かかる補正曲線の原点（入力信号レベル０）におけるＩＴＵ−７０９特性曲線の傾きと，対数曲線の傾きとを比較して，図２に示す。対数曲線の原点における立ち上がりは，図２に示すように，ＩＴＵ−７０９特性曲線と比較して，過度に急峻となっていることが分かる。このことから，対数曲線からなる補正曲線を使用してガンマ補正処理を行った画像を，従来のモニタでモニタリングすると，極端に黒色が浮いた画像となってしまう。
【００２９】
本実施形態にかかる補正曲線は，黒色部分を浮かせることなく，かつ１００％を越える領域の情報を含ませてフィルム画像と同様な画像を得るために，低信号レベル領域（原点からの立上り領域）には，傾きの緩やかな曲線を割り当て，かつ高信号レベル領域には対数曲線を割り当てるように構成している。
【００３０】
本実施形態にかかる補正曲線の例を図３及び図４に基づいて説明する。なお，図３は，本実施形態にかかる緩立上り対数曲線により形成される補正曲線の３つの具体例を示す説明図である。また，図４は，本実施形態にかかるＩＴＵ７０９−対数曲線により形成される補正曲線の３つの具体例を示す説明図である。
【００３１】
（１）緩立上り対数曲線（▲１▼〜▲３▼）
図３には，本実施形態にかかる緩立上り対数曲線の補正曲線として，原点における傾きが異なる３つの補正曲線（原点における傾きが，▲１▼５．０，▲２▼４．０，▲３▼３．０）の例を示している。かかる緩立上り対数曲線は，下記の関数で示される。
【００３２】
▲１▼．原点での傾きが５．０の対数曲線
ｙ＝０．５４８５７６＊ｌｏｇ１０（ｘ＋０．０４７６４９）＋０．７２５１９０  （０．００００００＝＜ｘ＜４．６０１６００）
【００３３】
▲２▼．原点での傾きが４．０の対数曲線
ｙ＝０．５８４７９２＊ｌｏｇ１０（ｘ＋０．０６３４９３）＋０．７００１５６  （０．００００００＝＜ｘ＜４．６０１６００）
【００３４】
▲３▼．原点での傾きが３．０の対数曲線
ｙ＝０．６４０２１７＊ｌｏｇ１０（ｘ＋０．０９２６８１）＋０．６６１３５０  （０．００００００＝＜ｘ＜４．６０１６００）
【００３５】
本実施形態にかかる緩立上り対数曲線においては，原点での立ち上がりの傾きが緩やかな（例えば５．０以下）の対数曲線が補正曲線として形成されているので，従来のモニタを使用しても黒色部分を浮かせることなく違和感のない画像を確認できると共に，１００％を越える領域の高域情報を含ませたフィルム画像と同様な画像を得ることができる。さらに，原点からの立ち上がりの傾きを変えることにより，低信号レベル領域における黒色品質が変化するので，従来のモニタにより黒色領域の調整を好適に行うことができる。また，１００％を超える領域において，どの程度まで（例えば１０８％）の情報を含ませるかを条件として対数曲線を設計することができる。
【００３６】
（２）ＩＴＵ７０９−対数曲線（▲４▼〜▲６▼）
次に，図４に基づいて，本実施形態にかかるＩＴＵ７０９−対数曲線について説明する。図４には，ＩＴＵ−７０９特性曲線から対数曲線に移行する入力信号レベルが異なる３つの補正曲線（▲４▼入力信号レベル７０％，▲５▼入力信号レベル４０％，▲６▼入力信号レベル１０％）が示されている。なお，図４に示されるＩＴＵ７０９−対数曲線は，下記の関数で示される。
【００３７】
なお，ＩＴＵ７０９（７０％）−対数曲線とは，ＩＴＵ−７０９特性曲線が入力信号レベル７０％まで使用され，入力信号レベル７０％以降は対数曲線が使用されていることを示している。このとき，対数曲線への移行は，例えば７０％の入力信号レベルにおいて，ＩＴＵ−７０９特性曲線と対数曲線とが同一の傾きとなるように合成されている。
【００３８】
▲４▼．ＩＴＵ７０９（７０％）−対数曲線
ｙ＝４．５＊ｘ  （ｘ＜０．０１８０５４）
ｙ＝１．０９９２９７＊ｘ０．４５−０．０９９２９７
（０．０１８０５４＝＜ｘ＜０．７）
ｙ＝０．１６９５６６＊ｌｏｇ１０（ｘ−０．５７７６５１）＋０．９９１７０３
（０．７＝＜ｘ）
【００３９】
▲５▼．ＩＴＵ７０９（４０％）−対数曲線
ｙ＝４．５＊ｘ（ｘ＜０．０１８０５４）
ｙ＝１．０９９２９７＊ｘ０．４５−０．０９９２９７
（０．０１８０５４＝＜ｘ＜０．４）
ｙ＝０．３３４０３２＊ｌｏｇ１０（ｘ−０．２２２８３５）＋０．８７９６１９（０．４＝＜ｘ）
【００４０】
▲６▼．ＩＴＵ７０９（１０％）−対数曲線
ｙ＝４．５＊ｘ
（ｘ＜０．０１８０５４）
ｙ＝１．０９９２９７＊ｘ０．４５−０．０９９２９７
（０．０１８０５４＝＜ｘ＜０．１）
ｙ＝０．５１４２９６＊ｌｏｇ１０（ｘ＋０．０２７２５４）＋０．７５１２１３
（０．１＝＜ｘ）
【００４１】
本実施形態においては，低信号レベル領域（原点からの立上り領域）には，傾きの緩やかな曲線が割り当てられ，かつ高信号レベル領域には対数曲線が割り当てられるように構成したので，従来のモニタを使用しても黒色部分を浮かせることなく違和感のない画像を確認できると共に，１００％を越える領域の高域情報を含ませたフィルム画像と同様な画像を得ることができる。なお，１００％を超える領域において，どの程度まで（例えば１０８％）の情報を含ませるかを条件として対数曲線を設計することができる。また，ＩＴＵ−７０９特性曲線から対数曲線に移行する時点を変えることにより，低信号レベルに重点を置くか，高信号レベルに重点を置くかを選択することができる。なお，ＩＴＵ−７０９特性曲線から対数曲線に移行する入力信号レベルが低信号領域にあるほど対数曲線部分が長くなるので情報量が多く含まれることになり，高信号レベル領域に重点が置かれることになる。反対に，ＩＴＵ−７０９特性曲線から対数曲線に移行する入力信号レベルが高信号領域にあるほどＩＴＵ−７０９特性曲線部分が長くなるので，低信号レベル領域に重点が置かれることになる。
【００４２】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００４３】
例えば，上記実施形態においては，緩立上り対数曲線として，原点における傾きが５．０，４．０，３．０の３つの補正曲線を例に挙げて説明したが，掛かる例には限定されない。原点の傾きが５．０以下であれば，他の傾きの対数曲線を採用することができる。
【００４４】
また，上記実施形態においては，ＩＴＵ７０９−対数曲線として，対数曲線に移行する入力信号レベルを７０％，４０％，１０％とした３つの補正曲線を例に挙げて説明したが，かかる例には限定されない。低信号レベル領域に重点を置くか，あるいは高信号レベル領域に重点を置くかに応じて好適に設定することができる。
【００４５】
また，上記実施形態においては，最終的にＮＴＳＣ映像信号を出力する構成を例に挙げて説明したが，かかる例には限定されない。例えばＰＡＬ信号を出力する場合であっても実施することができる。
【００４６】
【発明の効果】
従来のモニタを使用しても黒色部分を浮かせることなく，かつ１００％を越える領域の情報を含ませてフィルム画像と同様な画像を得ることができる。
【図面の簡単な説明】
【図１】本実施形態にかかるディジタルビデオカメラの概略構成を示すブロック図である。
【図２】対数曲線と，ＩＴＵ−７０９特性曲線との原点での立ち上がりの急峻さを比較するための説明図である。
【図３】本実施形態にかかる緩立上り対数曲線により形成される補正曲線の３つの具体例を示す説明図である。
【図４】本実施形態にかかるＩＴＵ７０９−対数曲線により形成される補正曲線の３つの具体例を示す説明図である。
【符号の説明】
１０  ディジタルビデオカメラ
１００  ＣＣＤ
２００  プリプロセス回路
３００  アナログ／ディジタル（Ａ／Ｄ）変換器
４００  ＤＳＰ回路
５００  ポストプロセス回路
【図１】
2004312269.tif 000003
【図２】
2004312269.tif 000004
【図３】
2004312269.tif 000005
【図４】
2004312269.tif 000006